(57)【要約】【課題】  顔の形状等にフィットさせて装着感が良好となり、また、右目と左目とで見た像が一致するように容易に調整できるピンホールメガネを提供する。【解決手段】  複数のピンホール１５が形成された一対の遮光体１２、１２と、該一対の遮光体１２、１２を連結するブリッジ部材１３と、前記遮光体１２、１２に取り付けられた折り畳み自在な耳掛けテンプル１４、１４とからなるピンホールメガネ１１であって、前記ブリッジ部材１４は、可撓性を有する基材１６の表面に弾性を有する合成樹脂材１７を被覆した構成である。なお、基材１６は、強度及び可撓性等を考慮すると金属材であることが望ましい。【選択図】      図１
2006163254.tif 000002
【特許請求の範囲】
【請求項１】
複数のピンホールが形成された一対の遮光体と、該一対の遮光体を連結するブリッジ部材と、前記遮光体に取り付けられた折り畳み自在な耳掛けテンプルとからなるピンホールメガネであって、
前記ブリッジ部材は、可撓性を有する基材の表面に弾性を有する合成樹脂材を被覆したこと
を特徴とするピンホールメガネ。
【請求項２】
前記ブリッジ部材は、帯状に形成すると共に、中央部に湾曲状部が形成され且つ該湾曲状部の両端部からＬ字状の連結部が延設した構成であることを特徴とする請求項１に記載のピンホールメガネ。
【請求項３】
前記基材は、金属であることを特徴とする請求項１に記載のピンホールメガネ。
【請求項４】
前記ブリッジ部材におけるＬ字状の連結部の端部には、それぞれ係止用の返し片が形成され、
前記遮光体には、前記連結部の端部が挿着されて前記係止用の返し片が係止される、係止用凹部を有する挿入孔がそれぞれ形成されていること
を特徴とする請求項１に記載のピンホールメガネ。
【発明の詳細な説明】
【技術分野】
【０００１】
本発明は、目の疲労を回復させると共に、視力低下の予防、及び視力の矯正を図るためのピンホールメガネの改良に関するものである。
【背景技術】
【０００２】
従来のピンホールメガネとしては、次のような構成のものが知られている。このピンホールメガネは、多数のピンホールが形成された一対の板体と、この一対の板体が嵌め込まれた眼鏡フレームと、この眼鏡フレームの両側部に折り畳み自在に設けられた耳掛けテンプルとから構成されている（特許文献１、２参照）。
【０００３】
このような構成のピンホールメガネを装着すると、複数のピンホールを通して外界の像が網膜に結ばれることとなり、遠方を見るのと同様な効果を眼球に与えると共に、脳を刺激して活性化に役立つと言われている。その結果、眼球の筋肉運動を促し、あるいは眼球の筋肉が弛緩することによって、目の疲労回復や、視力低下の予防、視力の矯正を図ることができることとなる。
【特許文献１】実開平６−５００３１号公報（図１）。
【特許文献２】実用新案登録第３０２８８０７号公報（図１）。
【発明の開示】
【発明が解決しようとする課題】
【０００４】
この従来例のピンホールメガネにおいては、眼鏡フレームを顔の形状や大きさに対応させて調整することができない。その結果、ピンホールメガネが顔にピッタリとフィットせず、装着感が悪いという欠点を有している。
【０００５】
また、ピンホールを通して外界を見た時に、右目と左目とで見た像が二重にダブって見えることがある。この様な場合には、左右の板体を適宜に調整して、右目と左目とで見た像を一致させる必要がある。しかしながら、板体が嵌め込まれた眼鏡フレームは変形させることができないので、右目と左目とで見た像の調整が不可能であり、そのまま装着を続けると頭痛等を引き起こすおそれがあるという欠点を有している。
【０００６】
従って、従来例におけるピンホールメガネにおいては、顔の形状や大きさにピッタリとフィットさせて装着感を良好にすることと、右目と左目とで見た像が一致するように容易に調整できるようにすることとに解決しなければならない課題を有している。
【課題を解決するための手段】
【０００７】
前記従来例の課題を解決する具体的手段として本発明は、複数のピンホールが形成された一対の遮光体と、該一対の遮光体を連結するブリッジ部材と、前記遮光体に取り付けられた折り畳み自在な耳掛けテンプルとからなるピンホールメガネであって、前記ブリッジ部材は、可撓性を有する基材の表面に弾性を有する合成樹脂材を被覆したことを特徴とするピンホールメガネを提供するものである。
【０００８】
また、前記ブリッジ部材は、帯状に形成すると共に、中央部に湾曲状部が形成され且つ該湾曲状部の両端部からＬ字状の連結部が延設した構成としたものであり、そして、前記基材は、金属である構成としたものであり、更に、前記ブリッジ部材におけるＬ字状の連結部の端部には、それぞれ係止用の返し片が形成され、前記遮光体には、前記連結部の端部が挿着されて前記係止用の返し片が係止される、係止用凹部を有する挿入孔がそれぞれ形成されている構成としたものである。
【発明の効果】
【０００９】
本発明に係るピンホールメガネは、複数のピンホールが形成された一対の遮光体と、該一対の遮光体を連結するブリッジ部材と、前記遮光体に取り付けられた折り畳み自在な耳掛けテンプルとからなるピンホールメガネであって、前記ブリッジ部材は、可撓性を有する基材の表面に弾性を有する合成樹脂材を被覆したことによって、ブリッジ部材が自在に変形できるので、左右の遮光体を顔の形状等にフィットするように調整することができる。従って、装着感が極めて良好になる。
同様に、ブリッジ部材が変形自在であることから、右目と左目とで見た像が二重にダブって見えるときに、左右の遮光体を適宜に動かして、右目と左目とで見た像が一致するように調整することが容易であるという種々の優れた効果を奏する。
【００１０】
また、前記ブリッジ部材は、帯状に形成すると共に、中央部に湾曲状部が形成され且つ該湾曲状部の両端部からＬ字状の連結部が延設した構成であることによって、ブリッジ部材の変形が極めて容易であるという優れた効果を奏する。
【００１１】
そして、前記ブリッジ部材におけるＬ字状の連結部の端部には、それぞれ係止用の返し片が形成され、前記遮光体には、前記連結部の端部が挿着されて前記係止用の返し片が係止される、係止用凹部を有する挿入孔がそれぞれ形成されていることによって、組立作業が極めて簡単に行えることとなり、組立時の作業性が向上するという優れた効果を奏する。
【発明を実施するための最良の形態】
【００１２】
ピンホールメガネを顔の形状等にフィットするように調整すると共に、右目と左目とで見た像が一致するように容易に調整するという目的を、ブリッジ部材を変形自在に形成することにより実現した。
【実施例１】
【００１３】
次に、本発明の実施の形態について図面を参照しながら説明する。まず、図１及び図３において、符号１１はピンホールメガネを示し、このピンホールメガネ１１は、一対の遮光体１２、１２と、この一対の遮光体１２、１２を連結するブリッジ部材１３と、遮光体１２、１２に取り付けられた折り畳み自在な耳掛けテンプル１４、１４とから構成されている。
【００１４】
遮光体１２は、複数のピンホール１５が形成された遮光板１２ａと、この遮光板１２ａの縁部に沿って一体に形成されたシェード１２ｂとからなる。
【００１５】
このように遮光板１２ａの縁部にシェード１２ｂを設けたことにより、目と遮光板１２ａとの間に適宜の間隔が保たれることとなり、マツ毛が遮光板１２ａに触れることがなく、不快感が生じない。更に、目と遮光板１２ａとの間からの光の進入を遮断できるので、ピンホール１５を通してのみ視力が集中して、外界をより明瞭に見ることができるのである。
【００１６】
また、シェード１２ｂには、図５に示すように、挿入孔２０が形成されており、この挿入孔２０の後部には、係止用凹部２１が設けられている。更に、シェード１２ｂには、図３に示すように、保持孔２２が形成されている。
【００１７】
ピンホール１５は、一例を上げると直径が約１〜１．５ｍｍ程度が望ましい。また、ピンホール１５は、遮光板１２ａのほぼ中央位置、即ち瞳に対応する位置に１つ形成され、この中央位置のピンホール１５を中心にして左右位置又は上下位置に約５〜６ｍｍ程度の間隔を開けて設けることが望ましい。このように各ピンホール１５を配置することによって、ピンホール１５の全体の配置状態が虹彩の大きさ内に収まり、ピンホール１５からの光の入射角が一直線状になるので、歪みのない像が網膜に結ばれることとなるのである。
【００１８】
ブリッジ部材１３は、図１、図２、及び図４に示すように、帯状に形成されており、中央部に湾曲状部１３ａが形成されると共に、この湾曲状部１３ａの両端部１３ｂから略Ｌ字形状の連結部１３ｃが一体に延設している。そして、この連結部１３ｃの端部１８には、返し片１９が設けられている。
【００１９】
更に、ブリッジ部材１３は、図４に示すように、可撓性を有する基材１６の表面を弾性を有する合成樹脂材１７で覆った構成である。なお、基材１６は、強度及び可撓性等を考慮すると金属材であることが望ましい。
【００２０】
このようにブリッジ部材１３を構成したことにより、ブリッジ部材１３を自在に変形できることとなる。従って、左右の遮光体１２、１２を顔の形状等にフィットするように調整できるので、ピンホールメガネ１１の装着感が極めて良好になる。更には、右目と左目とで見た像が二重にダブって見えるときに、左右の遮光体１２、１２を適宜に動かして、右目と左目とで見た像が一致するように調整することができる。
【００２１】
また、ブリッジ部材１３と遮光体１２との取付状態は、図５に示すように、ブリッジ部材１３の端部１８をシェード１２ｂの挿入孔２０に圧入して、返し片１９と係止用凹部２１とを係合させている。従って、組立作業が極めて簡単に行え、組立時の作業性が向上することとなる。
【００２２】
耳掛けテンプル１４は、図１及び図３に示すように、所定の長さを有する棒状に形成されていると共に、シェード１２ｂの保持孔２２に挿着して保持させる一端部１４ａと、耳掛けテンプル１４を所定位置で折り畳むための蝶番部１４ｂと、耳に係止する他端部１４ｃとを有している。
【図面の簡単な説明】
【００２３】
【図１】本発明に係るピンホールメガネ１１の斜視図である。
【図２】本発明に係るピンホールメガネ１１の正面図である。
【図３】本発明に係るピンホールメガネ１１の平面図である。
【図４】ブリッジ部材１３を拡大して示した平面図である。
【図５】ブリッジ部材１３とシェード１２ｂの挿入孔２０近傍とを拡大して示した説明図である。
【符号の説明】
【００２４】
１１  ピンホールメガネ
１２  遮光体
１２ａ遮光板
１２ｂシェード
１３  ブリッジ部材
１３ａ湾曲状部
１３ｂ端部
１３ｃ連結部
１４  耳掛けテンプル
１４ａ一端部
１４ｂ蝶番部
１４ｃ他端部
１５  ピンホール
１６  基材
１７  合成樹脂材
１８  端部
１９  返し片
２０  挿入孔
２１  係止用凹部
２２  保持孔
【図１】
2006163254.tif 000003
【図２】
2006163254.tif 000004
【図３】
2006163254.tif 000005
【図４】
2006163254.tif 000006
【図５】
2006163254.tif 000007